(57)【特許請求の範囲】
【請求項１】
ハウジングに設けられ、建物の窓を開閉するためのワイヤーを巻回したドラムギヤと、
前記ハウジングに設けられた支軸に揺動可能に設けられた爪ベースと、
この爪ベースに前記支軸を挟んで両側に回動可能に設けられた復帰用爪およびロック用爪と、
前記爪ベースを所定の方向に揺動付勢するとともに、窓の開閉操作に応じて前記ドラムギヤが正逆回転することに伴い、前記爪ベースおよび前記ロック用爪とを交互に前記ドラムギヤに噛合させるように働くばね部材として設けられたトグルコイルスプリングと、
窓の閉鎖操作時の前記ドラムギヤの強制回転により、該ドラムギヤに噛合した前記復帰用爪を介し、前記トグルコイルスプリングの付勢力に抗して前記爪ベースを揺動させ、窓の閉鎖の完了に伴い前記ロック用爪が前記ドラムギヤに噛合して前記ドラムギヤの逆転を阻止するようになっていることと、
窓の前記閉鎖操作に伴う前記ドラムギヤの強制回転時に、前記復帰用爪の噛合部を前記ドラムギヤの噛合面から離間させるための退避部材とを設け、
前記退避部材は、前記復帰用爪の噛合部とは反対側に形成された平坦部と頂部とからなる角部であり、前記復帰用爪の前記ドラムギヤに対する噛合時には、前記角部の頂部が前記トグルコイルスプリングの一端部に弾接し、窓の閉鎖操作に伴う前記ドラムギヤの強制回転時には、前記復帰用爪を前記ドラムギヤから離間させるべく前記角部の平坦部が前記トグルコイルスプリングの一端部に弾接するようにスナップ変位するようになっていることを特徴とする高窓開閉操作装置。
【請求項２】
請求項１に記載の高窓開閉操作装置において、窓の開放時には、押しボタンの操作により前記爪ベースを前記トグルコイルスプリングの付勢力により揺動させて前記ロック用爪の前記ドラムギヤに対する噛合を外し、前記ワイヤーを繰り出すべく該ドラムギヤの回転を許すようになっていることを特徴とする高窓開閉操作装置。
【発明の詳細な説明】
【０００１】
【発明の属する技術分野】
本発明は、建物内で比較的高い位置に設けられた窓をワイヤーを介して開閉操作するための高窓開閉操作装置に関する。
【０００２】
【従来の技術】
この種の高窓開閉操作装置にあっては、ワイヤー巻き上げ機構としてハウジング内にドラムギヤが回転可能に設けられ、窓枠に連結されたワイヤーを巻回している。そして、窓の開放時には、押しボタンの操作によりドラムギヤが回転してワイヤーを繰り出し、窓の閉鎖時には、ハンドルの操作によりワイヤーをドラムギヤに巻き上げている。この場合、ドラムギヤに対しては、復帰用爪およびロック用爪が窓に開閉に応じて交互に噛み合うように設けられ、窓の閉鎖操作の完了に伴いロック用爪がドラムギヤに噛合し、次の復帰操作を待機する。
【０００３】
【発明が解決しようとする課題】
ところが、このような復帰用爪は、スプリングによりドラムギヤの噛合する方向に常に付勢されているため、窓の開放時には勿論、閉鎖時にも復帰用爪がドラムギヤの噛合面を滑り、その都度不快な接触音が発生していた。
また、このようなドラムギヤに対する復帰用爪の滑りを放置しておくと、磨耗により作動不良が生ずるおそれがある。
また、この接触音を除こうとすると、部品に厳密な精度が要求され、加工工程の増加やコストの上昇を招き易かった。
本発明は、これらの事情を背景になされたもので、その目的は、窓の閉鎖時には復帰用爪がドラムギヤの噛合面から離れるため、不快な接触音の発生を防止でき作動不良も起し難く、しかも部品に厳密な精度が要求されず、簡単な構成で実現できコストも嵩まないといった優れた高窓開閉操作装置を提供することにある。
【０００４】
【課題を解決するための手段】
この発明は、高窓開閉操作装置に係り、ハウジングに設けられ、建物の窓を開閉するためのワイヤーを巻回したドラムギヤと、前記ハウジングに設けられた支軸に揺動可能に設けられた爪ベースと、この爪ベースに前記支軸を挟んで両側に回動可能に設けられた復帰用爪およびロック用爪と、前記爪ベースを所定の方向に揺動付勢するとともに、窓の開閉操作に応じて前記ドラムギヤが正逆回転することに伴い、前記爪ベースおよび前記ロック用爪とを交互に前記ドラムギヤに噛合させるように働くばね部材として設けられたトグルコイルスプリングと、窓の閉鎖操作時の前記ドラムギヤの強制回転により、該ドラムギヤに噛合した前記復帰用爪を介し、前記トグルコイルスプリングの付勢力に抗して前記爪ベースを揺動させ、窓の閉鎖の完了に伴い前記ロック用爪が前記ドラムギヤに噛合して前記ドラムギヤの逆転を阻止するようになっていることと、窓の前記閉鎖操作に伴う前記ドラムギヤの強制回転時に、前記復帰用爪の噛合部を前記ドラムギヤの噛合面から離間させるための退避部材とを設けている。前記退避部材は、前記復帰用爪の噛合部とは反対側に形成された平坦部と頂部とからなる角部であり、前記復帰用爪の前記ドラムギヤに対する噛合時には、前記角部の頂部が前記トグルコイルスプリングの一端部に弾接し、窓の閉鎖操作に伴う前記ドラムギヤの強制回転時には、前記復帰用爪を前記ドラムギヤから離間させるべく前記角部の平坦部が前記トグルコイルスプリングの一端部に弾接するようにスナップ変位する。
また、高窓開閉操作装置において、窓の開放時には、押しボタンの操作により前記爪ベースを前記トグルコイルスプリングの付勢力により揺動させて前記ロック用爪の前記ドラムギヤに対する噛合を外し、前記ワイヤーを繰り出すべく該ドラムギヤの回転を許すようになっていることを特徴とする。
【０００５】
【発明の作用および効果】
本発明の高窓開閉操作装置によれば、復帰用爪に設けた退避部材により窓の閉鎖時には復帰用爪がドラムギヤの噛合面から離れるため、摩擦摺動による不快な接触音の発生を防止でき、磨耗に基づく作動不良を防止でき、長寿命化が図られる。
しかも、簡単な幾何学的形状の小片を用いるだけで退避部材を形成することが可能なので、部品に厳密な精度が要求されず、簡単な構成で実現できコストも嵩まない。
【０００６】
【発明の実施の形態】
以下に各図を参照して本発明の実施例を説明する。
まず、本発明の高窓開閉操作装置１を示す図１ないし図４において、化粧カバーＨを外した状態の箱型のハウジング２内には、下部位にドラムギヤ３を回転可能に支持している。このドラムギヤ３は外周縁部に波状の噛合面３ａを有し、ハンドルＰの操作により正逆回転して窓枠Ｊ、Ｊに連結されたワイヤーＷを巻き取ったり、繰り出したりする。これにより建物の窓Ｋ、Ｋを所望に応じて開閉するようになっている。
【０００７】
このハウジング２の略中間部には、支軸４が立設され、この支軸４には椅子型をなす爪ベース５が揺動可能に取り付けられている。この爪ベース５の上端部５ａは押しボタン６の係合部６ａに当接し、下端部５ｂはドラムギヤ３の噛合面３ａに近接している。７はばね部材としてのトグルコイルスプリングで、これは支軸４に弾接状態に巻回され、その一端部７ａはピン８に固定され、他端部７ｂは後述する退避部材９に弾接している。これにより爪ベース５が支軸４を中心にして図４の矢印Ａ方向に常に回動付勢されている。
【０００８】
１０はラチェット形のロック用爪で、これは爪ベース５に支軸４の右側にピン１１により回動可能に取り付けられている。そして、このロック用爪１０はトグルコイルスプリング１２により常にドラムギヤ３の噛合面３ａに噛合するように付勢されている。
【０００９】
一方、１３は実質的にはラチェットとして作用する復帰用爪で、これは爪ベース５に支軸４の左側にピン１４により回動可能に取り付けられている。この復帰用爪１３は下端部に形成された噛合部１３ａをドラムギヤ３の噛合面３ａに対して係脱するようになっている。
さて、退避部材９は復帰用爪１３に一体的に形成され、ピン１４の回りに復帰用爪１３とともに回動するようになっている。この退避部材９は、平坦部９ａの両側に頂部９ｂ、９ｃを有する角部からなる。そして、窓の閉鎖時には、角部の平坦部９ａがトグルコイルスプリング７の他端部７ｂに弾接し、復帰用爪１３を図４の矢印Ｂ方向に回動して噛合部１３ａをドラムギヤ３から離間する。
【００１０】
かかる角部の作用を図５ないし図７に基づいて説明する。例えば復帰用爪１３が、操作中の作動力により図５の矢印Ｃ方向あるいは図７の矢印Ｄ方向に大きく回動した場合には、角部の頂部９ｂ、９ｃがトグルコイルスプリング７の他端部７ｂに弾接する。これら頂部９ｂ、９ｃの弾接状態は不安定であるためにピン１４の回りのトルクの関係から、復帰用爪１３は角部を介して矢印Ｃ、Ｄとは反対方向に回動する。これにより復帰用爪１３が左右に遊び回動しても、角部の平坦部９ａは、図６に示すようにトグルコイルスプリング７の他端部７ｂにスナップ的に弾接復帰し易い傾向を有する。このため、窓Ｋ、Ｋを閉鎖すべくワイヤーＷを巻き取る方向にドラムギヤ３を回転する際には、復帰用爪１３にはドラムギヤ３から離れ易い性質が付与されたことになる。
【００１１】
つぎに、窓Ｋ、Ｋの開閉動作を図４、図８、図９、図１０に基づいて説明する。
図４では、爪ベース５の上端部５ａが押しボタン６の係合部６ａに当接し、ロック用爪１０がドラムギヤ３に噛合してドラムギヤ３の回転を阻止した状態で、窓が閉鎖されているとする。
この状態で、押しボタン６を押圧操作すると、爪ベース５の上端部５ａの係合部６ａに対する当接状態が解かれる。このため、爪ベース５が支軸４を中心にして図８の矢印Ａ方向に回動し、ロック用爪１０がドラムギヤ３から離れてドラムギヤ３に対する噛合が解除される。
このとき、窓Ｋ、Ｋが解錠され、これらの窓Ｋ、Ｋの自重によりワイヤーＷが引っ張られるため、ドラムギヤ３が図８に矢印Ｅで示すように左方向に回転し、ワイヤーＷを繰り出して窓を開放する。そして、窓の開放動作が完了すると、復帰用爪１３が噛合部１３ａをドラムギヤ３の噛合面３ａに係合させ、次の復帰操作を待機する。
【００１２】
そして、図９の状態から窓を閉鎖すべく、手動操作によりハンドルＰを右方向に回転する。すると、ドラムギヤ３も図９に矢印Ｆで示すように右方向に回転し、復帰用爪１３を介して爪ベ−ス５が支軸４を中心にして図８の矢印Ａとは反対方向に回動する。この状態で、図１０のようにドラムギヤ３をさらに回転してワイヤーＷを巻き取り、窓の閉鎖操作が完了すると、図４に示すように爪ベ−ス５の上端部５ａが元通り押しボタン６の係合部６ａに当接する。
【００１３】
このように、窓の閉鎖操作時には、図９および図１０に示すように復帰用爪１３がドラムギヤ３の噛合面３ａに押し上げられ、復帰用爪１３は自由状態となっている。このため、退避部材（角部）９の平坦部９ａは、とりわけ図６に示すようにトグルコイルスプリング７の他端部７ｂにスナップ的に弾接復帰する。これにより、復帰用爪１３は、爪ベース５の回動を伴いドラムギヤ３から離れるようになり、両者の摩擦摺動による不快な接触音の発生を防止でき、磨耗に基づく作動不良を防止でき、長寿命化が図られる。
とりわけ、窓の閉鎖操作時には、復帰用爪１３の噛合部１３ａとドラムギヤ３の噛合面３ａとが互いに鋭く当たる方向に回動し合うことが未然に防がれるので、この点で噛合部１３ａと噛合面３ａの欠損などの大きな損傷が防止される。
しかも、退避部材９の形成には簡単な幾何学的形状の小片で済むので、部品に厳密な精度が要求されず、簡単な構成で実現できコストも嵩まない。
【００１４】
以上説明したように、本発明では下記の優れた効果を有するものである。
［イ］窓の閉鎖操作時には、復帰用爪１３がドラムギヤ３の噛合面３ｂに押し上げられ、退避部材（角部）９の平坦部９ａはトグルコイルスプリング７の他端部７ｂに弾接するようにスナップ復帰する。これにより、復帰用爪１３は、爪ベース５の回動を伴いドラムギヤ３から離れ、両者の摩擦摺動による不快な接触音の発生を防止でき、磨耗に基づく作動不良を防止でき、耐久性能を向上できる。
［ロ］これに伴い復帰用爪１３の噛合部１３ａとドラムギヤ３の噛合面３ａとが互いに鋭く当たる方向に回動し合うことが未然に防がれるので、噛合部１３ａと噛合面３ａの大きな損傷が防止される。
［ハ］しかも、簡単な幾何学的形状の小片を用いるだけで退避部材９を形成することが可能なので、部品に厳密な精度が要求されず、簡単な構成で実現できコストも嵩まない。
なお、本実施例では退避部材９は、平坦部９ａおよび頂部９ｂ、９ｃからなる角部として小片を用いたが、平坦部のみを有する小片を用い、この平坦部を磁化させた吸引力によりトグルコイルスプリング７の他端部７ｂに弾接し易い傾向を付与してもよい。
また、本発明に係る高窓開閉操作装置は、家屋などの建物ばかりではなく、百貨店、店舗、温室、穀物倉庫をはじめ旅客列車、船舶など窓を遠隔的操作により開閉するもの一般に適用できる。
【図面の簡単な説明】
【図１】本発明に係る高窓開閉操作装置を窓とともに示す斜視図である。
【図２】本発明に係る高窓開閉操作装置の背面図である。
【図３】高窓開閉操作装置の側面図である。
【図４】高窓開閉操作装置の平面図である。
【図５】復帰用爪の作動を退避部材との関係で示す作用説明図である。
【図６】復帰用爪の作動を退避部材との関係で示す作用説明図である。
【図７】復帰用爪の作動を退避部材との関係で示す作用説明図である。
【図８】高窓開閉操作装置の作動説明のための平面図である。
【図９】高窓開閉操作装置の作動説明のための平面図である。
【図１０】高窓開閉操作装置の作動説明のための平面図である。
【符号の説明】
１  高窓開閉操作装置
２  ハウジング
３  ドラムギヤ
３ａ  噛合面
４  支軸
５  爪ベース
６  押しボタン
７  トグルコイルスプリング（ばね部材）
９  退避部材（角部）
９ａ  平坦部
９ｂ、９ｃ  頂部
１０  ロック用爪
１３  復帰用爪
１３ａ  噛合部
Ｗ    ワイヤー
【図１】
0003922813.tif 000002
【図２】
0003922813.tif 000003
【図３】
0003922813.tif 000004
【図４】
0003922813.tif 000005
【図５】
0003922813.tif 000006
【図６】
0003922813.tif 000007
【図７】
0003922813.tif 000008
【図８】
0003922813.tif 000009
【図９】
0003922813.tif 000010
【図１０】
0003922813.tif 000011